(57)【特許請求の範囲】
【請求項１】
網接続集中局及びステーションより構成される中央集中式データ通信システムのデータ通信方法であって、
（ａ）前記網接続集中局から各ステーションに割当てられるバックオフ数を含む多重のポーリングメッセージを受信する段階と、
（ｂ）ポーリングを行おうとするステーションに含まれているステーションの中に伝送すべきデータが存在する場合、前記多重のポーリングメッセージのバックオフ数を前記ステーションのバックオフ数に設定する段階と、
（ｃ）前記のように設定されたバックオフ数をカウントダウンしてデータを伝送する段階と、
を含み、
ポーリングを行おうとするステーションに含まれているステーションの中に伝送すべきデータが存在しない場合、前記ポーリングを行おうとするステーションの個数を、バックオフ数を生じるランダムな値の範囲の最小値に設定する段階をさらに含むことを特徴とするバックオフ数制御を用いたデータ通信方法。
【請求項２】
網接続集中局及びステーションより構成される中央集中式データ通信システムのデータ通信方法であって、
（ａ）前記網接続集中局から各ステーションに割当てられるバックオフ数を含む多重のポーリングメッセージを受信する段階と、
（ｂ）ポーリングを行おうとするステーションに含まれているステーションの中に伝送すべきデータが存在する場合、前記多重のポーリングメッセージのバックオフ数を前記ステーションのバックオフ数に設定する段階と、
（ｃ）前記のように設定されたバックオフ数をカウントダウンしてデータを伝送する段階と、
を含み、
ポーリングを行おうとするステーションに含まれていないステーションは、
バックオフ数をランダムな値で設定して伝送の機会を獲得しようとする場合、前記バックオフ数に前記ポーリングを行おうとするステーションの個数のみを加算して新しいバックオフ数を設定する段階をさらに含むことを特徴とするバックオフ数制御を用いたデータ通信方法。
【請求項３】
網接続集中局及びステーションより構成される中央集中式データ通信システムのデータ通信方法であって、
（ａ）前記網接続集中局から各ステーションに割当てられるバックオフ数を含む多重のポーリングメッセージを受信する段階と、
（ｂ）ポーリングを行おうとするステーションに含まれているステーションの中に伝送すべきデータが存在する場合、前記多重のポーリングメッセージのバックオフ数を前記ステーションのバックオフ数に設定する段階と、
（ｃ）前記のように設定されたバックオフ数をカウントダウンしてデータを伝送する段階と、
を含み、
ポーリングを行おうとするステーションに含まれていないステーションは、
バックオフ数をランダムな値で設定して伝送の機会を獲得するために待機中でない場合に、前記ポーリングを行おうとするステーションの個数をランダムな値の生成範囲の最小値に設定する段階をさらに含むことを特徴とするバックオフ数制御を用いたデータ通信方法。
【請求項４】
ポーリングを行おうとするステーションが、ＩＤ及びポーリング周期を前記網接続集中局に登録する段階をさらに含むことを特徴とする請求項１から請求項３のいずれか１項に記載のバックオフ数制御を用いたデータ通信方法。
【請求項５】
前記（ａ）段階は、
前記多重のポーリングメッセージがポーリングを行おうとするステーションのＩＤを含むことを特徴とする請求項１から請求項４のいずれか１項に記載のバックオフ数制御を用いたデータ通信方法。
【請求項６】
前記（ｂ）段階は、
前記ポーリングを行おうとするステーションが前記多重のポーリングメッセージで前記ステーションのＩＤを確認して、その各ステーションのＩＤに対応するバックオフ数を設定することを特徴とする請求項５に記載のバックオフ数制御を用いたデータ通信方法。
【請求項７】
前記（ｃ）段階は、
前記のように設定されたバックオフ数をカウントダウンしてそのバックオフ数が「０」になるときにデータを伝送することを特徴とする請求項１から請求項６のいずれか１項に記載のバックオフ数制御を用いたデータ通信方法。
【請求項８】
請求項１から請求項７のいずれか１項に記載のバックオフ数制御を用いたデータ通信方法を、コンピュータで実行するプログラムで記録し、コンピュータでの読出しが可能に構成された、バックオフ数制御を用いたデータ通信方法を記録した記録媒体。
【発明の詳細な説明】
【０００１】
【発明の属する技術分野】
本発明は、ＣＳＭＡ（Ｃａｒｒｉｅｒ  Ｓｅｎｓｅ  Ｍｕｌｔｉｐｌｅｘｉｎｇ  Ａｃｃｅｓｓ）方式を用いる中央集中式のデータの伝送方法に係り、特に、ＣＳＭＡ方式を用いて網接続集中局で多重のポーリングメッセージを送信してデータを伝送するバックオフ数制御を用いたデータ通信方法及びその記録媒体に関する。
【０００２】
【従来の技術】
図１は、従来のＣＳＭＡ（Ｃａｒｒｉｅｒ  Ｓｅｎｓｅ  Ｍｕｌｔｉｐｌｅｘｉｎｇ  Ａｃｃｅｓｓ）方式を用いる中央集中式データ通信において、ＤＣＦ（Ｄｉｓｔｒｉｂｕｔｅｄ  Ｃｏｏｒｄｉｎａｔｉｏｎ  Ｆｕｎｃｔｉｏｎ）方式によりデータを伝送する方法を模式的に示す図である。
【０００３】
ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、Ｉｎｃ）８０２.１１に基づく無線ＬＡＮ（ｌｏｃａｌ  ａｒｅａ  ｎｅｔｗｏｒｋ；ローカルエリアネットワーク）システムのようなＣＳＭＡを用いる中央集中式データ通信システムにおいては、一般に、各ステーション（局）同士の間の競合（衝突）を最小化するために、各ステーション（局）でバックオフ数（ｂａｃｋｏｆｆ  ｎｕｍｂｅｒ）をランダムな値で生成し、チャンネル状態が一定期間（ＤＩＦＳ；ＤＣＦ  Ｉｎｔｅｒ  Ｆｒａｍｅ  Ｓｐａｃｅ）以上、アイドル（ｉｄｌｅ；空）の状態にある場合、段階的にそのバックオフ数を減少させ、このバックオフ数が「０」になったときにデータを伝送するようになっている。
【０００４】
ここで、前記の「バックオフ」とは、各ステーションから伝送されるデータ同士の間で競合（衝突）が発生して、ステーションがネットワークのアクセス権の取得に失敗したときの再送処理を意味し、前記の「バックオフ数（待機数）」とはこのバックオフの待機時間を意味する。
【０００５】
このような中央集中式データ通信システム方式は、一般に「ＤＣＦ」と呼ばれている。このとき、前記バックオフ数は、網接続集中局（Ａｃｃｅｓｓ  Ｐｏｉｎｔ）で決定されたＣＷ（Ｃｏｎｔｅｎｔｉｏｎ  Ｗｉｎｄｏｗ）の最小値（ＣＷｍｉｎ）と最大値（ＣＷｍａｘ）との間でランダムな値で生成される。
【０００６】
ここで、図１について説明すると、ステーション１はデータの伝送を行い、ステーション２はバックオフ数が「３」、ステーション３はバックオフ数が「５」となっている。そして、ステーション１におけるデータの伝送が完了してＤＩＦＳを経た後にステーション２のバックオフ数のカウントダウン（数を減少させる行為）を開始し、ステーション２のバックオフ数が「０」となったときにデータの伝送を行うようになっている。
【０００７】
さらに、ステーション３におけるデータの伝送は、ステーション１におけるデータの伝送が完了し、前記ＤＩＦＳを経た後にバックオフ数のカウントダウンを開始して、前記したようにステーション２におけるデータの伝送が行われると、このバックオフ数のカウントダウンを一旦中断し、ステーション２におけるデータの伝送が完了して、前記ＤＩＦＳを経た後に残りのバックオフ数をカウントダウンして、このバックオフ数が「０」になればデータの伝送を行うようになっている。
【０００８】
前記ＤＣＦ方式は、確率に基づいて動作するため、各ステーションから伝送されるデータ同士の間で競合（衝突）が生じる可能性が依然として高い。また、このようなデータの伝送を行う際には、データの数と大きさの両方が網接続集中局により制御されないので時間的制約のあるサービスを支援することは困難であるという問題がある。
【０００９】
図２は、従来のＰＣＦ（Ｐｏｉｎｔ  Ｃｏｏｒｄｉｎａｔｉｏｎ  Ｆｕｎｃｔｉｏｎ）によるデータの伝送方法を示す図であって、網接続集中局により制御できる区間（ＣＦＰ；Ｃｏｎｔｅｎｔｉｏｎ  Ｆｒｅｅ  Ｐｅｒｉｏｄ）を設定してポーリング方式により各ステーションでの伝送の機会を提供するものである。ここでは、このような方式を「ＰＣＦ」という。このＰＣＦでは、前記ＤＣＦを用いるステーションよりも優位性を確保するために、前記ＤＩＦＳに代えて、ＤＩＦＳよりも短い間隔を有するＰＩＦＳ（ＰＣＦ  Ｉｎｔｅｒ  Ｆｒａｍｅ  Ｓｐａｃｅ）及びＳＩＦＳ（Ｓｈｏｒｔ  Ｉｎｔｅｒ  Ｆｒａｍｅ  Ｓｐａｃｅ）が用いられている。
【００１０】
しかし、これまでに実用化されている無線ＬＡＮシステム（例えば、Ｉｎｔｅｒｓｉｌ、ＡＴｍｅｌ等）では、具現化の際に構成が複雑化する点から、前記ＰＣＦの機能を付与することが困難であった。
【００１１】
図３は、従来のＣＳＭＡを用いる中央集中式データ通信システムにおけるデータの伝送方式のうち、ＣＰ（Ｃｏｎｔｅｎｔｉｏｎ  Ｐｅｒｉｏｄ）区間とＣＦＰ区間とを混在させて用いるデータの伝送方法を示す図である。この場合、ビーコンメッセージは、ＣＦＰ区間またはＣＰ区間に対する情報またはビーコンメッセージ間の間隔等を含み、１つのステーションでデータの伝送が完了するとＳＩＦＳの間隔を経た後に網接続集中局からポーリングメッセージ（Ｄ１＋Ｐｏｌｌ、Ｄ２＋ａｃｋ＋Ｐｏｌｌ、Ｄ３＋ａｃｋ＋Ｐｏｌｌ）を送るようになっている。
【００１２】
ここで、前記ＣＰ区間はＤＣＦ方式を用い、前記ＣＦＰ区間はＰＣＦ方式を用いている。前記ＤＣＦ方式は、確率に基づいて伝送の機会を獲得するようになっているため、時間的制約のあるサービスを支援することは困難である。したがって、前記ＣＦＰ区間では、ＰＣＦ方式により時間的制約のあるサービスを有するステーションでポーリングを行うことによって時間的制約のあるサービスを支援することが可能になる。しかし、このＰＣＦ方式の問題点として、ステーションでポーリングを行うごとにポーリングメッセージを送る必要があり、このＣＦＰ区間のタイミングを別途管理する必要があるがゆえに、具現化の際に構成が複雑化することが挙げられる。
【００１３】
また、前記ＣＦＰ区間は固定されているので、ポーリングが行われたステーションがデータの伝送を行う際に、このデータがそのＣＦＰ区間を超過する可能性がある。この場合には、前記データの伝送を一旦中断して、ＣＰ区間で競合（衝突）させる方式により、前記データの伝送を行う必要がある。例えば、各ポーリングメッセージを受信したステーションは、伝送すべきデータと、この伝送を確認するメッセージ（Ｕ１＋ａｃｋ、Ｕ２＋ａｃｋまたはＵ３＋ａｃｋ）とを伝送するが、Ｕ３のデータを伝送しようとするステーションはＣＦＰ区間でデータを伝送することができず、ＣＰ区間でデータを伝送することになる。
【００１４】
また、前記ポーリングが行われたステーションがフラグメント化（ｆｒａｇｍｅｎｔ；砕片分離）された連続するデータを伝送するとき、このデータがＣＦＰ区間を超過すれば、このフラグメント化された連続するデータはＣＰ区間を通じて伝送する必要がある。のみならず、時間的制約のあるサービスをより充実させて支援するには、伝送フレームの長さ及びＣＦＰ区間長さを適切に調整することが必要であるが、非常に短い間隔でポーリングを行うことを要求する特殊なサービスでは、ＣＦＰ区間外のＣＰ区間でポーリングを行うことが必要になる。
【００１５】
このような問題点を解決するためには、伝送フレームの長さを、対応するポーリング周期の間隔よりも短くする必要がある（以上、例えば、特許文献１参照）。
【００１６】
【特許文献１】
アメリカ特許５９４０３９９号公報
【００１７】
【発明が解決しようとする課題】
前記問題点に鑑み、本発明の目的は、既存のシステムで、時間的制約のあるデータ送信サービスを支援することを可能にする、ＣＳＭＡを用いる中央集中式データ通信システムでのバックオフ数制御を用いたデータ通信方法を提供することにある。
【００１８】
また、本発明の他の目的は、前記バックオフ数制御を用いたデータ通信方法を、コンピュータで実行するプログラムで記録した、コンピュータでの読出しが可能な記録媒体を提供することにある。
【００１９】
【課題を解決するための手段】
前記目的を達成するための本発明に係るＣＳＭＡを用いる中央集中式データ通信システムにおけるバックオフ数制御を用いたデータ通信方法は、（ａ）前記網接続集中局から各ステーションに割当てられるバックオフ数を含む多重のポーリングメッセージを受信する段階と、（ｂ）ポーリングを行おうとするステーションに含まれているステーションの中に伝送すべきデータが存在する場合、前記多重のポーリングメッセージのバックオフ数を前記ステーションのバックオフ数に設定する段階と、（ｃ）前記のように設定されたバックオフ数をカウントダウンしてデータを伝送する段階と、を含み、ポーリングを行おうとするステーションに含まれているステーションの中に伝送すべきデータが存在しない場合、前記ポーリングを行おうとするステーションの個数を、バックオフ数を生じるランダムな値の範囲の最小値に設定する段階をさらに含んで構成される（請求項１）。
また、前記目的を達成するための本発明に係るＣＳＭＡを用いる中央集中式データ通信システムにおけるバックオフ数制御を用いたデータ通信方法は、（ａ）前記網接続集中局から各ステーションに割当てられるバックオフ数を含む多重のポーリングメッセージを受信する段階と、（ｂ）ポーリングを行おうとするステーションに含まれているステーションの中に伝送すべきデータが存在する場合、前記多重のポーリングメッセージのバックオフ数を前記ステーションのバックオフ数に設定する段階と、（ｃ）前記のように設定されたバックオフ数をカウントダウンしてデータを伝送する段階と、を含み、ポーリングを行おうとするステーションに含まれていないステーションは、バックオフ数をランダムな値で設定して伝送の機会を獲得しようとする場合、前記バックオフ数に前記ポーリングを行おうとするステーションの個数のみを加算して新しいバックオフ数を設定する段階をさらに含んで構成される（請求項２）。
また、前記目的を達成するための本発明に係るＣＳＭＡを用いる中央集中式データ通信システムにおけるバックオフ数制御を用いたデータ通信方法は、（ａ）前記網接続集中局から各ステーションに割当てられるバックオフ数を含む多重のポーリングメッセージを受信する段階と、（ｂ）ポーリングを行おうとするステーションに含まれているステーションの中に伝送すべきデータが存在する場合、前記多重のポーリングメッセージのバックオフ数を前記ステーションのバックオフ数に設定する段階と、（ｃ）前記のように設定されたバックオフ数をカウントダウンしてデータを伝送する段階と、を含み、ポーリングを行おうとするステーションに含まれていないステーションは、バックオフ数をランダムな値で設定して伝送の機会を獲得するために待機中でない場合に、前記ポーリングを行おうとするステーションの個数をランダムな値の生成範囲の最小値に設定する段階をさらに含んで構成される（請求項３）。
【００２０】
また、本発明は、前記バックオフ数制御を用いたデータ通信方法で、データを伝送しようとするステーションがＩＤ及びポーリング周期を前記網接続集中局に登録する段階をさらに含んで構成することができる（請求項４）。
【００２１】
また、本発明は、前記（ａ）段階で、前記多重のポーリングメッセージがポーリングを行おうとするステーションのＩＤを含むことができる（請求項５）。
【００２２】
さらに、本発明は、前記（ｂ）段階で、ポーリングを行おうとするステーションが前記多重のポーリングメッセージで前記ステーションのＩＤを確認してその各ステーションのＩＤに対応するバックオフ数を設定するように構成することができる（請求項６）。
【００２３】
そして、本発明は、前記（ｃ）段階で、前記のように設定されたバックオフ数をカウントダウンしてそのバックオフ数が「０」になるときにデータを伝送するように構成することができる（請求項７）。
【００２７】
さらにまた、前記他の目的を達成するための本発明に係るバックオフ数制御を用いたデータ通信方法を記録した記録媒体は、前記のＣＳＭＡを用いる中央集中式データ通信システムにおけるバックオフ数制御を用いたデータ通信方法を、コンピュータで実行するためのプログラムで記録し、コンピュータでの読出しを行うことができるように構成される（請求項８）。
【００２８】
【発明の実施の形態】
以下、添付した図面を参照しながら本発明の望ましい実施の形態について詳細に説明する。図４は、本発明に係るＣＳＭＡを用いる中央集中式データ通信システムのバックオフ数制御を用いたデータ通信方法に関するフローを示す図であって、網接続集中局で多重のポーリングメッセージを伝送すれば、そのメッセージをステーションで受信し、バックオフ数を設定してそのバックオフ数によってデータを伝送するフローを示す。
【００２９】
まず、各ステーションは、網接続集中局にステーションのＩＤ及びポーリング周期を含む情報を登録する（段階４１０）。前記網接続集中局では、このように登録されたポーリング周期によって伝送フレームの長さを算出し、バックオフ数をランダムな値で生成する。ここでは、このランダムな値の範囲を、前記網接続集中局で、ＣＷとして設定している。前記網接続集中局では、前記段階４１０で登録された情報に基づいてポーリングを行おうとするステーションの個数、ポーリングを行おうとするステーションのＩＤ及び各ステーションに割当てられるバックオフ数を含む多重のポーリングメッセージを伝送する。
【００３０】
次に、各ステーションでは、前記網接続集中局から伝送された多重のポーリングメッセージを受信すると（段階４３０）、このように受信された多重のポーリングメッセージのポーリングリストにステーションのＩＤが含まれているか否かを判定し（段階４４０）、前記ステーションのＩＤが含まれている場合には、伝送すべきデータが存在するか否かを判定する（段階４５０）。
【００３１】
このとき、前記段階４５０で、伝送すべきデータが存在するステーションの場合には、このように受信された多重のポーリングメッセージでそのステーションのＩＤに対応するバックオフ数を設定して（段階４７５）データを伝送する準備をする。このようにして前記段階４７５で、バックオフ数が設定されたステーションはバックオフ数を基本タイムスロットごとに１つずつ減少させてＤＣＦ方式でデータを伝送する（段階４８０）。
【００３２】
一方、前記段階４５０で、前記ステーションのＩＤが含まれ、かつ伝送すべきデータが存在しない場合には、ポーリングを行おうとするステーションの個数の値をＣＷの最小値に設定し（段階４７３）、その結果、伝送すべきデータが発生すると、前記のように設定されたＣＷの最小値と最大値との間で、ランダムな値で生成されたバックオフ数を、網接続集中局から受信して設定しデータの伝送を行う。
【００３３】
また、前記段階４４０で、ステーションが受信した多重のポーリングメッセージのポーリングリストにステーションのＩＤが含まれない場合には、そのステーションが伝送の機会を獲得すべく待機中であるか否かを判定する（段階４６０）。そして、そのステーションが待機中の場合には、減少しつつあるバックオフ数にポーリングを行おうとするステーションの個数のみを加算して新しいバックオフ数を設定し（段階４６３）、基本タイムスロットごとにバックオフ数を１つずつ減少させてＤＣＦ方式でデータを伝送する（段階４８０）。
【００３４】
一方、前記段階４４０で、ステーションが受信した多重のポーリングメッセージのポーリングリストに含まれず、しかも前記段階４６０でステーションが伝送の機会を獲得するために待機中でない場合には、ポーリングを行おうとするステーションの個数の値を最小値ＣＷに設定して（段階４６５）、伝送すべきデータが発生したときに前記段階４６５で設定された最小値ＣＷと最大値との間でランダムな値で生成されたバックオフ数を網接続集中局から受信して設定し、前記データの伝送を行う。
【００３５】
図５は、本発明に係るバックオフ数制御を用いたデータ通信方法における伝送フレームの構造を示す図であって、網接続集中局から伝送するＣＰの間隔またはビーコンメッセージの間隔を含むビーコンメッセージ情報、多重のポーリングメッセージ、及び各ステーションから伝送されるデータで１つの伝送フレームが構成される。
【００３６】
ここで、前記ビーコンメッセージと多重のポーリングメッセージとの時間間隔は可変であり、前記の各データ（Ｄ１からＤ５）を伝送する時間間隔はＤＩＦＳとなっている。また、ポーリングメッセージが伝送される時間は、各ステーションで登録されたポーリング周期が確認され、このように確認されたポーリング周期に従ってポーリングメッセージが伝送されるので、可変である。さらに、１つの伝送フレーム区間（長さ）内では複数の多重のポーリングメッセージを伝送することが可能であるので、ポーリング区間も可変長さを有する。
【００３７】
図６は、本発明に係るバックオフ数制御を用いたデータ通信方法における多重のポーリングメッセージの構造を模式的に示す図であり、ポーリングを行おうとするステーションの個数、各ステーションのＩＤ及びバックオフ数を含んで構成されている。
【００３８】
網接続集中局からビーコンメッセージを伝送し、ＤＩＦＳ区間より短い区間（ＰＩＦＳ；ＰＣＦ  Ｉｎｔｅｒ  Ｆｒａｍｅ  Ｓｐａｃｅ）を経た後に図６に示すような構造を有する多重のポーリングメッセージを伝送すれば、各ステーションはステーションのＩＤに対応するバックオフ数を設定した後、ＤＩＦＳ間隔でデータを伝送する。
【００３９】
図７（ａ）は、本発明に係るバックオフ数制御を用いたデータ通信方法における多重のポーリングメッセージの一実施形態を示す図である。この実施形態では、ポーリングを希望するステーションの個数が３であるため、ステーション１、２及び３に各々、バックオフ数として「０」、「１」及び「２」を付与している。また、図７（ｂ）は、本発明に係るデータの伝送方法でステーションからデータを伝送する他の実施形態を示す図である。
【００４０】
以下、図７（ａ）及び図７（ｂ）について説明する。網接続集中局で図７（ａ）に示すような多重のポーリングメッセージを伝送すれば、ステーション１からステーション４は多重のポーリングメッセージを受信して登録したＩＤ及びバックオフ数を確認し、その結果に基づいて割当てられるべきバックオフ数を設定してデータを伝送する。
【００４１】
ここで、ステーション１はバックオフ数が「０」であるので、多重のポーリングメッセージ受信後に直ちに伝送の機会を獲得することができる。ステーション１でデータの伝送が終了した後、ＤＩＦＳ区間以後のチャンネルがアイドル状態になれば、あらゆるステーションのバックオフ数を基本タイムスロットごとに１つずつ減少させるので、このバックオフ数が「０」になったステーション２が次の伝送の機会を得る。
【００４２】
しかし、伝送すべきデータが存在しないと、チャンネルはアイドル状態をそのまま維持する。この場合も、１つの基本タイムスロット中でチャンネルがアイドル状態を維持するので、すべてのステーションでバックオフ数がさらに１つ減少される。このようにしてステーション３が、次の伝送の機会を得るようになる。ポーリングリストに存在しないステーション４は、多重のポーリングメッセージを受信したときに、それ自体のバックオフ数に、ポーリングを希望するステーションの個数のみを加算しておいたために、ポーリング周期内で伝送の機会を獲得することができなくなる。
【００４３】
ここで、ポーリング周期は、多重のポーリングメッセージ間の間隔である。本発明は、このような方式によって網接続集中局がいつでもステーションでポーリングを行うことができるので、時間的制約のあるサービスを効果的に支援することができる。
【００４４】
本発明はまた、コンピュータでの読出しが可能な記録媒体に、コンピュータでの読出しが可能なプログラム（コード）として具現される。このコンピュータでの読出しが可能な記録媒体としては、従来公知のコンピュータシステムでの読出しが可能なデータが記憶され得るすべての記録装置を含む。前記コンピュータでの読出しが可能な記録媒体としては、例えば、ＲＯＭ（読出し専用記憶装置：ｒｅａｄ−ｏｎｌｙ  ｍｅｍｏｒｙ）、ＲＡＭ（ランダムアクセス記憶装置：ｒａｎｄｏｍ  ａｃｃｅｓｓ  ｍｅｍｏｒｙ）、ＣＤ−ＲＯＭ（コンパクトディスク読出し専用記憶装置  ｃｏｍｐａｃｔ−ｄｉｓｋ  ｒｅａｄ−ｏｎｌｙ  ｍｅｍｏｒｙ）、磁気テープ、ハードディスク、フレキシブルディスク、フラッシュメモリ、光データ記憶装置等が挙げられる。また、本発明に係るバックオフ数制御を用いたデータ通信方法を実行するためのプログラムを記録する記録媒体には、キャリヤウェーブ（例えば、インターネットを介した伝送）の形態で具現されるものも含まれる。
【００４５】
さらに、このようなコンピュータでの読出しが可能な記録媒体は、分散方式で、ネットワークとして連結されたコンピュータシステム間に伝送され、コンピュータでの読出しが可能なコードとして記憶されて実行される。
【００４６】
【発明の効果】
以上説明したとおりに構成される本発明によれば、以下の効果を奏する。すなわち、本発明に係るＣＳＭＡ方式を用いる中央集中式データ通信システムのバックオフ数制御を用いたデータ通信方法によれば、無線ＬＡＮまたはＨｏｍｅ  ＰＮＡ（Ｐｈｏｎｅｌｉｎｅ  Ｎｅｔｗｏｒｋｉｎｇ  Ａｌｌｉａｎｃｅ）における媒体接続制御に適用することにより、時間的制約のあるサービスを支援することが可能になる。
【００４７】
また、本発明は、比較的単純な構成で具現することが可能なので、既存のシステムにも比較的容易に適用できる。したがって、本発明は、より低コストで、しかもリアルタイムでサービスを支援するシステムに適している。
【図面の簡単な説明】
【図１】従来のＣＳＭＡを用いる中央集中式のデータ通信においてＤＣＦにデータを伝送する方式を示す図面である。
【図２】従来のＣＳＭＡを用いる中央集中式のデータ通信においてＰＣＦにポーリングを行う方式を示す図面である。
【図３】ＣＰ区間とＣＦＰ区間とを混在させて用いられるデータの伝送方法を示す図面である。
【図４】本発明に係るバックオフ数制御を用いたデータ通信方法に対するフローを示す図面である。
【図５】本発明に係るバックオフ数制御を用いたデータ通信方法におけるデータの伝送フレームを示す図面である。
【図６】本発明に係るバックオフ数制御を用いたデータ通信方法における多重のポーリングメッセージの構造を模式的に示す図面である。
【図７】本発明に係るバックオフ数制御を用いたデータ通信方法の一実施形態を示す図面である。
【図１】
0003771889.tif 000002
【図２】
0003771889.tif 000003
【図３】
0003771889.tif 000004
【図４】
0003771889.tif 000005
【図５】
0003771889.tif 000006
【図６】
0003771889.tif 000007
【図７】
0003771889.tif 000008